(57)【要約】【課題】上位装置とＩＰ伝送路にて接続された移動通信用無線基地局装置の伝送路終端回路において、伝送路上のメッセージをモニタする機能を、処理能力の低下なく実現する。【解決手段】移動通信用無線基地局装置の伝送路終端回路において、ＰＨＹとＭＡＣ間の電気信号（ＭＩＩ）を分岐させ、送信モニタ用ＰＨＹ及び受信モニタ用ＰＨＹを介して伝送路上のメッセージをリアルタイムに出力する。ＭＡＣを介さずにメッセージを出力するため、ＭＡＣの上位レイヤ（プロセッサなど）によるメッセージのコピーをおこなう処理は不要となり、処理能力の低下がない。また、モニタ用にＭＡＣを必要とする構成ではないため、限りあるグローバルＭＡＣアドレスを無駄に使用することがない。【選択図】図１
2010239418.tif 000002
【特許請求の範囲】
【請求項１】
上位装置とＩＰ伝送路にて接続された伝送路終端回路であって、
前記上位装置と接続するＭＡＣと、
前記ＩＰ伝送路と接続するＰＨＹと、
前記ＭＡＣ及び前記ＰＨＹ間の電気信号を分岐させる分岐手段と、
前記分岐手段により分岐された前記電気信号が接続されるモニタ用ＰＨＹと、
を備えることを特徴とする、伝送路終端回路。
【請求項２】
前記モニタ用ＰＨＹを含むモニタ部と、
前記モニタ部の前記モニタ用ＰＨＹを挿抜可能に前記分岐手段に接続させるコネクタと、
を備えることを特徴とする、請求項１記載の伝送路終端回路。
【請求項３】
前記分岐手段は、受信信号を分岐させる受信信号分岐手段と、送信信号を分岐させる送信信号分岐手段と、を有し、
前記モニタ用ＰＨＹは、前記受信信号分岐手段及び前記送信信号分岐手段にそれぞれ対応し、２つあることを特徴とする、請求項１又は２記載の伝送路終端回路。
【請求項４】
前記ＰＨＹと、前記受信信号分岐手段に対応する前記モニタ用ＰＨＹと、の間に、前記ＰＨＹと前記受信信号分岐手段に対応する前記モニタ用ＰＨＹの通信インタフェースの仕様に応じて必要な変更を行う変換手段を備えることを特徴とする、請求項３記載の伝送路終端回路。
【請求項５】
前記モニタ用ＰＨＹは、前記分岐手段により分岐され、前記モニタ用ＰＨＹに入力された前記電気信号を、モニタ用送信データへと変換することを特徴とする、請求項１から４のいずれか１項記載の伝送路終端回路。
【請求項６】
上位装置とＩＰ伝送路にて接続された伝送路終端回路を用いて、前記ＩＰ伝送路上のメッセージをモニタする伝送路モニタ方法であって、
前記上位装置と接続するＭＡＣと前記ＩＰ伝送路と接続するＰＨＹの間の電気信号を分岐させ、
分岐させた前記電気信号にモニタ用ＰＨＹを接続し、
前記モニタ用ＰＨＹにより前記電気信号をモニタ用送信データに変換させることを特徴とする、伝送路モニタ方法。
【発明の詳細な説明】
【技術分野】
【０００１】
本発明は、ＩＰ伝送路による伝送路終端回路の構成に関し、特に移動通信の無線基地局装置、その他電子装置などに実装される伝送路終端回路に関する。
【背景技術】
【０００２】
移動通信システムにおいては、次世代（第４世代）へ向けてＩＰ網の導入が進んでおり、無線基地局装置でも上位装置及び他無線基地局装置との伝送路にＥＴＨＥＲＮＥＴ（登録商標）を採用している。移動通信システムにおける伝送路の多様化、伝送路のトラヒック量の増加にともない、オペレータは移動通信システムの障害を解析するために伝送路上のメッセージをモニタする必要性が出てきた。
【０００３】
ところが、従来装置においてはＥＴＨＥＲＮＥＴのようなＩＰ伝送路のモニタ機能を実現するために、複数のＭＡＣ機能部を用意し、かつＭＡＣの上位レイヤ（プロセッサなど）によるメッセージのコピーをおこなう処理を追加で実装しなければならなかった。このため、従来装置では前記コピー処理による処理能力の低下が問題となっていた。また、モニタ回路はＬＡＮ接続が可能な構成であったため、モニタ用にもグローバルＭＡＣアドレスを用意しなければならなかった。
【０００４】
本発明に関連する関連技術が記載された文献として、特許文献１，２を挙げる。特許文献１は、ＩＰ伝送装置において物理層とデータリンク層の間に「バス切替手段」を設けることを記載している（例えば、２ページ目左下から３ページ目右上）。また、特許文献２は、データ通信システム内の回線入出力部分に分岐回路を設け、入出力される送受信データをトレースし、トレース結果表示か色でモニタすることを記載している（例えば、段落０００９−００１１）。
【先行技術文献】
【特許文献】
【０００５】
【特許文献１】特開平０３−０５７３４５号公報
【特許文献２】特開平０５−０１４４５１号公報
【発明の概要】
【発明が解決しようとする課題】
【０００６】
図３を用いて、従来の構成について説明する。
【０００７】
伝送路終端回路部は物理終端部８１とＰＨＹ８４、ＭＡＣ８７から構成される。物理終端部８１はネットワーク側（ＩＰ伝送路）の物理終端をおこなうもので、トランスやＳｍａｌｌ  Ｆｏｒｍ  Ｆａｃｔｏｒ  Ｐｒａｇｇａｂｌｅ（以下ＳＦＰ）モジュールなどで構成される。物理終端部８１とＰＨＹ８４の間は電気信号により接続される。以下、ネットワーク側からＰＨＹ８４までの受信信号をネットワーク側受信データ、ＰＨＹ８４からネットワーク側までの送信信号をネットワーク側送信データと呼ぶことにする。ＰＨＹ８４はＯＳＩ参照モデルの第１層（物理レイヤ）を終端するデバイスのことで、物理レイヤの信号をＯＳＩ参照モデルの第２層の下位副層（ＭＡＣレイヤ）へ変換する機能をもつ。ＰＨＹ８４とＭＡＣ８７の間はＭｅｄｉａ  Ｉｎｄｅｐｅｎｄｅｎｔ  Ｉｎｔｅｒｆａｃｅ（以下ＭＩＩ）にて接続される。ＭＡＣ８７は前記にあるように、ＯＳＩ参照モデルの第２層の下位副層（ＭＡＣレイヤ）に該当し、ＰＨＹ８４とデータの送受信方法、誤り検出などの規定、上位レイヤが処理するデータ変換をおこなう機能をもつ。以下、ＰＨＹ８４からＭＡＣ８７までのＭＩＩインタフェースを受信ＭＩＩインタフェース、ＭＡＣ８７からＰＨＹ８４までのＭＩＩインタフェースを送信ＭＩＩインタフェースと呼ぶことにする。
【０００８】
モニタ部は物理終端部８２（受信モニタ用）、物理終端部８３（送信モニタ用）、ＰＨＹ８５（受信モニタ用）、ＰＨＹ８６（送信モニタ用）、ＭＡＣ８８（受信モニタ用）、ＭＡＣ８９（送信モニタ用）から構成される。物理終端部８２と８３は、伝送路終端回路部の物理終端部８１と同様にトランス（ＲＪ４５コネクタも含む）やＳＦＰモジュールであるが、必ずしも伝送路終端回路部と同じである必要はない。例えば、伝送路終端回路部の物理終端部が光回線で、モニタ部の物理終端部がトランスであっても構わない。ＰＨＹ８５とＰＨＹ８６は、ＰＨＹ８４と同様にＯＳＩ参照モデルの第１層（物理レイヤ）を終端するデバイスである。ＰＨＹ８５は、物理終端部８２に接続されて受信モニタの機能を実現し、ＰＨＹ８６は物理終端部８３に接続されて送信モニタの機能を実現する。ＭＡＣ８８と８９は、ＯＳＩ参照モデルの第２層の下位副層（ＭＡＣレイヤ）に該当し、上位レイヤにてコピーされた受信データや送信データを受信であればＰＨＹ８５へ、送信であればＰＨＹ８６へ中継している。以下、ＭＡＣ８８からＰＨＹ８５までを受信モニタ用送信ＭＩＩインタフェース、ＭＡＣ８９からＰＨＹ８６までを送信モニタ用送信ＭＩＩインタフェースと呼ぶことにする。
【０００９】
図３を用いて、従来の動作について説明する。従来の動作をわかりやすく説明するため、受信側と送信側で分けて記載する。
【００１０】
まず、受信側の動作について説明する。ネットワーク側（ＩＰ伝送路）からのデータは、伝送路終端回路部の物理終端部８１にて受信される。物理終端部８１を介して受信されたネットワーク側受信データは、ＰＨＹ８４へ入力され、受信ＭＩＩインタフェースへ変換される。受信ＭＩＩインタフェースは、ＭＡＣ８７によって、受信ＭＩＩインタフェースから上位レイヤにて処理可能な受信データへ変換される。上位レイヤは、受信データを受け取ると受信モニタ用のＭＡＣ８８へ送信データとしてコピー処理をおこなう。ＭＡＣ８８は受け取ったコピーデータを受信モニタ用送信ＭＩＩインタフェースに変換する。受信モニタ用送信ＭＩＩインタフェースは、ＰＨＹ８５に入力され、受信モニタ用送信データへ変換される。受信モニタ用送信データは、物理終端部８２を介して受信モニタから出力される。
【００１１】
次に、送信側の動作について説明する。上位レイヤは送信データを、ネットワーク側のＭＡＣ８７へ送るのとともにモニタ側のＭＡＣ８９へも送信データとしてコピー処理をおこなう。ネットワーク側の送信データは、ＭＡＣ８７によって送信ＭＩＩインタフェースへ変換され、モニタ側の送信データはＭＡＣ８９によって送信モニタ用送信ＭＩＩインタフェースへ変換される。ネットワーク側の送信ＭＩＩインタフェースは、ＰＨＹ８４に入力され、送信ＭＩＩインタフェースからネットワーク側送信データに変換される。ネットワーク側送信データは、物理終端部８１を介してネットワーク側（ＩＰ伝送路）へと出力される。一方、送信モニタ側の送信モニタ用送信ＭＩＩインタフェースは、ＰＨＹ８６に入力され、送信モニタ用送信データへ変換される。送信モニタ用送信データは、物理終端部８３を介して送信モニタから出力される。物理終端部８３は物理終端部８１と同様に、モニタ用インタフェースがツイストペア線であればＲＪ４５コネクタとトランスになり、光回線であればＳＦＰモジュールとなる。
【００１２】
前記の通り、従来はモニタ機能を実現するために専用のＭＡＣを用意していた構成となっていた。このため、ＭＡＣの上位レイヤ（おもにプロセッサが処理する）にてモニタインタフェースへのデータコピー処理をおこなわなければならず、処理能力に影響を与えていた。また、モニタ部にＭＡＣがあるのでＬＡＮなどへの接続も可能となっていたが、モニタ用にグローバルＭＡＣアドレスを取得しなければならず、限りあるグローバルＭＡＣアドレスを無駄に使用していた。
【００１３】
そこで本発明は、上記実情に鑑みて、上位装置とＩＰ伝送路にて接続された移動通信用無線基地局装置の伝送路終端回路において、伝送路上のメッセージをモニタする機能を、処理能力の低下なく実現することを目的とする。
【課題を解決するための手段】
【００１４】
上記目的を達成するために本発明は、上位装置とＩＰ伝送路にて接続された伝送路終端回路であって、前記上位装置と接続するＭＡＣと、前記ＩＰ伝送路と接続するＰＨＹと、前記ＭＡＣ及び前記ＰＨＹ間の電気信号を分岐させる分岐手段と、前記分岐手段により分岐された前記電気信号が接続されるモニタ用ＰＨＹと、を備えることを特徴とする。
【００１５】
また、本発明に係る伝送路モニタ方法は、上位装置とＩＰ伝送路にて接続された伝送路終端回路を用いて、前記ＩＰ伝送路上のメッセージをモニタする伝送路モニタ方法であって、前記上位装置と接続するＭＡＣと前記ＩＰ伝送路と接続するＰＨＹの間の電気信号を分岐させ、分岐させた前記電気信号にモニタ用ＰＨＹを接続し、前記モニタ用ＰＨＹにより前記電気信号をモニタ用送信データに変換させることを特徴とする。
【発明の効果】
【００１６】
本発明によれば、上位装置とＩＰ伝送路にて接続された移動通信用無線基地局装置の伝送路終端回路において、伝送路上のメッセージをモニタする機能を、処理能力の低下なく実現することが可能となる。
【図面の簡単な説明】
【００１７】
【図１】本発明による実施形態の構成を示すブロック図である。
【図２】本発明による他の実施形態の構成を示すブロック図である。
【図３】従来技術の構成を示すブロック図である。
【発明を実施するための形態】
【００１８】
以下で、本発明を実施形態により詳細に説明する。
【００１９】
以下に記載する実施形態は、移動通信用無線基地局装置の伝送路終端回路において、ＰＨＹとＭＡＣ間の電気信号（ＭＩＩ）を分岐させ、送信モニタ用ＰＨＹ及び受信モニタ用ＰＨＹを介して伝送路上のメッセージをリアルタイムに出力するものである。ＭＡＣを介さずにメッセージを出力するため、ＭＡＣの上位レイヤ（プロセッサなど）によるメッセージのコピーをおこなう処理は不要となり、処理能力の低下がない。また、モニタ用にＭＡＣを必要とする構成ではないため、限りあるグローバルＭＡＣアドレスを無駄に使用することがない。
【００２０】
すなわち、以下に記載するＩＰ伝送路モニタ回路は、上位装置とＥＴＨＥＲＮＥＴ（ＩＰ伝送路）にて接続された移動通信用無線基地局装置の伝送路終端回路において、伝送路上のメッセージをモニタする機能を処理能力の低下なし、グローバルＭＡＣアドレス付加なしにて実現する。以下で、具体的な構成及び動作について説明する。
【００２１】
図１を用いて、本実施形態の構成について説明する。
【００２２】
図１に示すように、無線基地局装置のＩＰ伝送路モニタ回路は、伝送路終端回路部とモニタ部の大きく２つに分かれている。
【００２３】
伝送路終端回路部は物理終端部１とＰＨＹ４、ＭＡＣ７を備える構成である。物理終端部１はネットワーク側（ＩＰ伝送路）の物理終端をおこなうもので、トランスやＳＦＰモジュールなどで構成される。ネットワーク側がツイストペア線（１０Ｂａｓｅ−Ｔ、１００Ｂａｓｅ−ＴＸ、１０００Ｂａｓｅ−Ｔ）のときにはＲＪ４５コネクタを介してトランスによる終端となり、ネットワーク側が光回線（１０００Ｂａｓｅ−ＳＸ、１０００Ｂａｓｅ−ＬＸ）のときにはＳＦＰモジュールによる終端となる。
【００２４】
物理終端部１とＰＨＹ４の間は電気信号により接続される。ネットワーク側がツイストペア線のときには、電気信号はトランスにより変圧された（実際には等倍が多い）ものであり、ネットワーク側が光回線のときには、電気信号はＳＦＰモジュールにより光電気変換されたものとなる。以下、ネットワーク側からＰＨＹ４までの受信信号をネットワーク側受信データ、ＰＨＹ４からネットワーク側までの送信信号をネットワーク側送信データと呼ぶことにする。
【００２５】
ＰＨＹ４はＯＳＩ参照モデルの第１層（物理レイヤ）を終端するデバイスのことで、物理レイヤの信号をＯＳＩ参照モデルの第２層の下位副層（ＭＡＣレイヤ）へ変換する機能をもつ。
【００２６】
ＰＨＹ４とＭＡＣ７の間はＭＩＩにて接続される。ＭＩＩは伝送路の速度（１０Ｂａｓｅ、１００Ｂａｓｅ、１０００Ｂａｓｅ）やＰＨＹの種類により、複数の形態（ＭＩＩ、ＳＭＩＩ、ＲＭＩＩ、ＧＭＩＩ、ＳＧＭＩＩ、ＲＧＭＩＩなど）をもつ。
【００２７】
ＭＡＣ７は前記にあるように、ＯＳＩ参照モデルの第２層の下位副層（ＭＡＣレイヤ）に該当し、ＰＨＹ４とデータの送受信方法、誤り検出などの規定、上位レイヤが処理するデータ変換をおこなう機能をもつ。ＭＡＣ７の構成としては、単一デバイスであったり、プロセッサなどの集積デバイスに組み込まれていたりする場合がある。以下、ＰＨＹ４からＭＡＣ７までのＭＩＩインタフェースを受信ＭＩＩインタフェース、ＭＡＣ７からＰＨＹ４までのＭＩＩインタフェースを送信ＭＩＩインタフェースと呼ぶことにする。
【００２８】
モニタ部は物理終端部２（受信モニタ用）、物理終端部３（送信モニタ用）、ＰＨＹ５（受信モニタ用）、ＰＨＹ６（送信モニタ用）、変換部１１を備える構成である。物理終端部２と３は、伝送路終端回路部の物理終端部１と同様にトランス（ＲＪ４５コネクタも含む）やＳＦＰモジュールであるが、必ずしも伝送路終端回路部と同じである必要はない。例えば、伝送路終端回路部の物理終端部が光回線で、モニタ部の物理終端部がトランスであっても構わない。
【００２９】
ＰＨＹ５とＰＨＹ６は、ＰＨＹ４と同様にＯＳＩ参照モデルの第１層（物理レイヤ）を終端するデバイスである。ＰＨＹ５は、物理終端部２に接続されて受信モニタの機能を実現し、ＰＨＹ６は物理終端部３に接続されて送信モニタの機能を実現する。
【００３０】
変換部１１は、伝送路終端回路部の受信ＭＩＩインタフェースをＰＨＹ５が送信するための受信モニタ用送信ＭＩＩインタフェースへ変換する機能をもつ。以下、ＰＨＹ５から受信モニタまでの送信データを受信モニタ用送信データ、ＰＨＹ６から送信モニタまでの送信データを送信モニタ用送信データと呼ぶことにする。
【００３１】
図１を用いて、本実施形態の動作について説明する。本実施形態の動作をわかりやすく説明するため、受信側と送信側で分けて記載する。
【００３２】
まず、受信側の動作について説明する。ネットワーク側（ＩＰ伝送路）からのデータは、伝送路終端回路部の物理終端部１にて受信される。ＩＰ伝送路がツイストペア線（１０Ｂａｓｅ−Ｔ、１００Ｂａｓｅ−ＴＸ、１０００Ｂａｓｅ−Ｔ）の場合、物理終端部１はＲＪ４５コネクタを介したトランスによる終端となり、受信したデータを電圧変換する。ＩＰ伝送路が光回線（１０００Ｂａｓｅ−ＳＸ、１０００Ｂａｓｅ−ＬＸ）の場合、物理終端部１はＳＦＰモジュールによる終端となり、受信したデータは光信号から電気信号へ変換される。
【００３３】
物理終端部１を介して受信されたネットワーク側受信データは、ＯＳＩ参照モデルの第１層（物理レイヤ）を終端するＰＨＹ４へ入力され、受信ＭＩＩインタフェースへ変換される。
【００３４】
ＭＩＩインタフェースはＩＥＥＥ８０２．３にて規格化されたＰＨＹ−ＭＡＣ間の通信手段であり、送信ＭＩＩインタフェースと受信ＭＩＩインタフェースがある。ＭＩＩインタフェースはＰＨＹ−ＭＡＣ間と１対１に接続するのが通常ではあるが、本実施形態ではモニタ機能を実現するため、上位レイヤ側とモニタ側の２つに分岐する。したがい、ＰＨＹ４にて変換された受信ＭＩＩインタフェースは、上位レイヤ側のＭＡＣ７と、受信モニタ側の変換部１１に分岐する。
【００３５】
上位レイヤ側へ分岐した受信ＭＩＩインタフェースは、ＭＡＣ７によって、受信ＭＩＩインタフェースから上位レイヤにて処理可能な受信データへ変換される。一方、受信モニタ側へ分岐した受信ＭＩＩインタフェースは、変換部１１に接続される。
【００３６】
受信モニタを実現するため、受信ＭＩＩインタフェースは受信モニタ側のＰＨＹ５が送信できるように受信モニタ用送信ＭＩＩインタフェースに変換される必要がある。変換部１１における受信ＭＩＩインタフェースから受信モニタ用送信ＭＩＩインタフェースへの変換は、使用するＭＩＩインタフェースの仕様に応じて、信号接続変更やデータフォーマットの変更がともなう。
【００３７】
変換部１１にて変換された受信モニタ用送信ＭＩＩインタフェースは、ＰＨＹ５に入力され、受信モニタ用送信データへ変換される。受信モニタ用送信データは、物理終端部２を介して受信モニタから出力される。物理終端部２は物理終端部１と同様に、モニタ用インタフェースがツイストペア線であればＲＪ４５コネクタとトランスになり、光回線であればＳＦＰモジュールとなる。
【００３８】
次に、送信側の動作について説明する。上位レイヤからの送信データは、ＭＡＣ７によって送信ＭＩＩインタフェースへ変換される。送信ＭＩＩインタフェースは、受信ＭＩＩインタフェースと同様にモニタ機能を実現するため、ネットワーク側とモニタ側の２つに分岐する。したがい、ＭＡＣ７にて変換された送信ＭＩＩインタフェースは、ネットワーク側のＰＨＹ４と送信モニタ側のＰＨＹ６に分岐する。
【００３９】
ネットワーク側へ分岐した送信ＭＩＩインタフェースは、ＰＨＹ４に入力され、送信ＭＩＩインタフェースからネットワーク側送信データに変換される。ネットワーク側送信データは、物理終端部１を介してネットワーク側（ＩＰ伝送路）へと出力される。
【００４０】
一方、送信モニタ側へ分岐した送信ＭＩＩインタフェースは、ＰＨＹ６に入力され、送信モニタ用送信データへ変換される。送信ＭＩＩインタフェースは、もとよりＰＨＹが送信可能なインタフェースとなっているため、受信ＭＩＩインタフェースのように送信用インタフェースに変換する必要がなく、そのままＰＨＹ６へ接続される。
【００４１】
送信モニタ用送信データは、物理終端部３を介して送信モニタから出力される。物理終端部３は物理終端部１と同様に、モニタ用インタフェースがツイストペア線であればＲＪ４５コネクタとトランスになり、光回線であればＳＦＰモジュールとなる。
【００４２】
ここで本実施形態のモニタ機能について補足説明する。モニタ部の物理終端部２と３は、伝送路回路部の物理終端部１と必ずしも同じインタフェースであるとは限らない。例えば、ネットワーク側（ＩＰ伝送路）が光回線で、モニタ側がＲＪ４５コネクタとトランスでもよい。モニタ部の接続先は、ＬＡＮなどのネットワークを意図したものではなく、データアナライザなどのＥＴＨＥＲＮＥＴフレームを解析できる測定器やパソコンを想定している。したがい、本実施形態ではモニタ部のインタフェースとして、ツイストペア回線や光回線のどちらにも対応できるように構成されている。
【００４３】
また、モニタ機能はネットワークにおける障害解析を目的としたものと考えられるため、通常ＬＡＮなどのネットワークに接続して利用されることはない。したがい、モニタ部にグローバルＭＡＣアドレスを準備する必要もないので、本実施形態ではＰＨＹ−ＭＡＣ間のＭＩＩインタフェースを分岐することでモニタ機能を実現している。
【００４４】
上記、本実施形態によれば、次の効果を得ることができる。
【００４５】
第１の効果は、モニタ機能を有していても処理能力の低下がおこらないことである。その理由は、ＰＨＹとＭＡＣ間のＭＩＩインタフェースを分岐して、モニタ機能を実現することでＭＡＣを介さずにメッセージを出力するため、ＭＡＣからモニタ用ＭＡＣへのメッセージコピー処理が不要になったためである。
【００４６】
第２の効果は、グローバルＭＡＣアドレスの有効利用が可能である。その理由は、モニタの接続先を測定器やパソコンに限定したため、回路構成にてモニタ側にＭＡＣが不要となったためである。
【００４７】
第３の効果は、第１の効果に付随して伝送路モニタのリアルタイム性が増したことである。その理由は、ＭＡＣを介さないモニタ方法を実現し、ＭＡＣの上位レイヤによるデータのコピー処理がなくなったことで、コピー処理による出力遅延がなくなったためである。これにより、実際に通信しているメッセージをごくわずかな遅延（ＰＨＹの出力遅延）でモニタできる。
【００４８】
図２を用いて、本発明の他の実施形態の構成について説明する。
【００４９】
図２に示すように、本実施形態は、無線基地局装置のＩＰ伝送路モニタ回路は、伝送路終端回路部とモニタ部の大きく２つに分かれている。
【００５０】
伝送路終端回路部は物理終端部５１とＰＨＹ５４、ＭＡＣ５７、コネクタ６０を備える構成である。物理終端部５１はネットワーク側（ＩＰ伝送路）の物理終端をおこなうもので、トランスやＳＦＰモジュールなどで構成される。物理終端部５１とＰＨＹ５４の間は電気信号により接続される。以下、ネットワーク側からＰＨＹ５４までの受信信号をネットワーク側受信データ、ＰＨＹ５４からネットワーク側までの送信信号をネットワーク側送信データと呼ぶことにする。
【００５１】
ＰＨＹ５４はＯＳＩ参照モデルの第１層（物理レイヤ）を終端するデバイスのことで、物理レイヤの信号をＯＳＩ参照モデルの第２層の下位副層（ＭＡＣレイヤ）へ変換する機能をもつ。ＰＨＹ５４とＭＡＣ５７の間はＭＩＩにて接続される。ＭＡＣ５７は前記にあるように、ＯＳＩ参照モデルの第２層の下位副層（ＭＡＣレイヤ）に該当し、ＰＨＹ５４とデータの送受信方法、誤り検出などの規定、上位レイヤが処理するデータ変換をおこなう機能をもつ。以下、ＰＨＹ５４からＭＡＣ５７までのＭＩＩインタフェースを受信ＭＩＩインタフェース、ＭＡＣ５７からＰＨＹ５４までのＭＩＩインタフェースを送信ＭＩＩインタフェースと呼ぶことにする。
【００５２】
コネクタ６０は、伝送路終端回路部とモニタ部を接続するためのもので、伝送路終端回路部に電源が入った状態でもモニタ部の着脱が可能なように、活線挿抜の仕様となっている。
【００５３】
モニタ部は物理終端部５２（受信モニタ用）、物理終端部５３（送信モニタ用）、ＰＨＹ５５（受信モニタ用）、ＰＨＹ５６（送信モニタ用）、コネクタ６０、変換部６１を備える構成である。物理終端部５２と５３は、伝送路終端回路部の物理終端部５１と同様にトランス（ＲＪ４５コネクタも含む）やＳＦＰモジュールであるが、必ずしも伝送路終端回路部と同じである必要はない。例えば、伝送路終端回路部の物理終端部が光回線で、モニタ部の物理終端部がトランスであっても構わない。
【００５４】
ＰＨＹ５５とＰＨＹ５６は、ＰＨＹ５４と同様にＯＳＩ参照モデルの第１層（物理レイヤ）を終端するデバイスである。ＰＨＹ５５は、物理終端部５２に接続されて受信モニタの機能を実現し、ＰＨＹ５６は物理終端部５３に接続されて送信モニタの機能を実現する。
【００５５】
変換部６１は、伝送路終端回路部の受信ＭＩＩインタフェースをＰＨＹ５５が送信するための受信モニタ用送信ＭＩＩインタフェースへ変換する機能をもつ。以下、ＰＨＹ５５から受信モニタまでの送信データを受信モニタ用送信データ、ＰＨＹ５６から送信モニタまでの送信データを送信モニタ用送信データと呼ぶことにする。
【００５６】
モニタ部も伝送路終端回路部と同様に活線挿抜の仕様に対応したコネクタ６０をもち、前記受信ＭＩＩインタフェースの接続だけでなく、伝送路終端回路部の送信ＭＩＩインタフェースとＰＨＹ６の送信ＭＩＩインタフェースを接続する。
【００５７】
図２を用いて、本実施形態の動作について説明する。本実施形態の動作をわかりやすく説明するため、受信側と送信側で分けて記載する。
【００５８】
まず、受信側の動作について説明する。ネットワーク側（ＩＰ伝送路）からのデータは、伝送路終端回路部の物理終端部５１にて受信される。物理終端部５１を介して受信されたネットワーク側受信データは、ＰＨＹ５４へ入力され、受信ＭＩＩインタフェースへ変換される。
【００５９】
ＭＩＩインタフェースはＰＨＹ−ＭＡＣ間と１対１に接続するのが通常ではあるが、本実施形態ではモニタ機能を実現するため、上位レイヤ側とモニタ側の２つに分岐する。したがい、ＰＨＹ５４にて変換された受信ＭＩＩインタフェースは、上位レイヤ側のＭＡＣ５７と、受信モニタ側のコネクタ６０に分岐する。
【００６０】
上位レイヤ側へ分岐した受信ＭＩＩインタフェースは、ＭＡＣ５７によって、受信ＭＩＩインタフェースから上位レイヤにて処理可能な受信データへ変換される。一方、受信モニタ側へ分岐した受信ＭＩＩインタフェースは、コネクタ６０を介して変換部６１に接続される。
【００６１】
受信モニタを実現するため、受信ＭＩＩインタフェースは受信モニタ側のＰＨＹ５５が送信できるように受信モニタ用送信ＭＩＩインタフェースに変換される必要がある。変換部６１における受信ＭＩＩインタフェースから受信モニタ用送信ＭＩＩインタフェースへの変換は、使用するＭＩＩインタフェースの仕様に応じて、信号接続変更やデータフォーマットの変更が伴う。変換部６１にて変換された受信モニタ用送信ＭＩＩインタフェースは、ＰＨＹ５５に入力され、受信モニタ用送信データへ変換される。
【００６２】
受信モニタ用送信データは、物理終端部５２を介して受信モニタから出力される。物理終端部５２は物理終端部５１と同様に、モニタ用インタフェースがツイストペア線であればＲＪ４５コネクタとトランスになり、光回線であればＳＦＰモジュールとなる。
【００６３】
次に、送信側の動作について説明する。上位レイヤからの送信データは、ＭＡＣ５７によって送信ＭＩＩインタフェースへ変換される。送信ＭＩＩインタフェースは、受信ＭＩＩインタフェースと同様にモニタ機能を実現するため、ネットワーク側とモニタ側の２つに分岐する。したがい、ＭＡＣ５７にて変換された送信ＭＩＩインタフェースは、ネットワーク側のＰＨＹ５４と送信モニタ側のコネクタ６０に分岐する。
【００６４】
ネットワーク側へ分岐した送信ＭＩＩインタフェースは、ＰＨＹ５４に入力され、送信ＭＩＩインタフェースからネットワーク側送信データに変換される。ネットワーク側送信データは、物理終端部５１を介してネットワーク側（ＩＰ伝送路）へと出力される。
【００６５】
一方、送信モニタ側へ分岐した送信ＭＩＩインタフェースは、コネクタ６０を介してＰＨＹ５６に入力され、送信モニタ用送信データへ変換される。送信ＭＩＩインタフェースは、もとよりＰＨＹが送信可能なインタフェースとなっているため、受信ＭＩＩインタフェースのように送信用インタフェースに変換する必要がなく、そのままＰＨＹ５６へ接続される。
【００６６】
送信モニタ用送信データは、物理終端部５３を介して送信モニタから出力される。物理終端部５３は物理終端部５１と同様に、モニタ用インタフェースがツイストペア線であればＲＪ４５コネクタとトランスになり、光回線であればＳＦＰモジュールとなる。
【００６７】
ここで本発明の他の実施形態のモニタ機能について補足説明する。本発明の他の実施形態において、伝送路回路部とモニタ部は、活線挿抜可能なコネクタ６０にて接続されている。このため、必要に応じて伝送路回路部とモニタ部を切り離すことが可能である。例えば、モニタ機能は通常の運用で何の障害もなければ使用することもないので切り離しておき、障害が発生した場合に後から取り付けて解析をおこなうといった使い方もできる。また、モニタに使用する測定器のインタフェースにあわせ、インタフェースにあったモニタ部をもってきて取り付けて使用することも可能である。
【００６８】
本発明の他の実施形態では、モニタ機能を切り離すことができるために以下の追加効果が期待できる。
【００６９】
第１の追加効果は、伝送路終端回路を安く提供できることである。その理由は、モニタ部を切り離すことが可能なので、モニタ部分をオプション化することができ、モニタ部分の購入有無を選択できるためである。当初の運用にモニタが不要であれば、モニタ部分の回路を購入しなければよい。また、障害解析が必要になったら、そのときにモニタ部分だけを購入すればよい。
【００７０】
第２の追加効果は、伝送路終端回路の消費電力を低減できることである。その理由は、モニタ部を切り離すことが可能なためである。運用において、モニタが不要のときにモニタ部分をはずしておくことで無駄な電力の消耗を防ぐことができる。
【符号の説明】
【００７１】
１，２，３，５１，５２，５３，８１，８２，８３    物理終端部
４，５，６，５４，５５，５６，８４，８５，８６    ＰＨＹ
７，５７，８７，８８，８９    ＭＡＣ
１１，６１    変換部
６０    コネクタ
【図１】
2010239418.tif 000003
【図２】
2010239418.tif 000004
【図３】
2010239418.tif 000005